(57)【要約】【課題】隙間を通る異物の侵入を防止する防護壁の異物による突破を簡単な構成で有効に防止することができるパチンコ遊技機の提供。【解決手段】台島に設置される外枠１１１と、前記外枠１１１に開閉可能に設けられ、遊技盤を保持する前枠１１２とを備えるパチンコ遊技機１００であって、前記外枠１１１と前記前枠１１２との間に存する隙間１３２を通り、異物がパチンコ遊技機１００内部に挿入されるのを防止する防護壁２００を、前記隙間１３２を覆うようにパチンコ遊技機１００内部に備え、前記防護壁２００の前記隙間１３２に対向する面の少なくとも一部を前記異物の挿入方向に対して傾斜する傾斜面２０１とする。【選択図】図３
2007319276.tif 000002
【特許請求の範囲】
【請求項１】
台島に設置される外枠と、前記外枠に開閉可能に設けられ、遊技盤を保持する前枠とを備えるパチンコ遊技機であって、
前記外枠と前記前枠との間に存する隙間を通り、異物がパチンコ遊技機内部に挿入されるのを防止する防護壁を、前記隙間を覆うようにパチンコ遊技機内部に備え、
前記防護壁の前記隙間に対向する面の少なくとも一部を前記異物の挿入方向に対して傾斜する傾斜面とすることを特徴とするパチンコ遊技機。
【請求項２】
前記傾斜面は、前記傾斜面に異物が突き当たった場合に、前記遊技盤から遠ざかる方向に、抗力が前記異物に対して発生するように傾斜している請求項１に記載のパチンコ遊技機。
【発明の詳細な説明】
【技術分野】
【０００１】
本発明はパチンコ遊技機に関する。
【背景技術】
【０００２】
パチンコ遊技機は、パチンコホールに設置されている台島に固定的に取り付けられる外枠に対し、開閉自在に取り付けられる前枠を備え、当該前枠を外枠に対して開けることで、台島に取り付けられている状態でも、パチンコ遊技機内部の機構などを操作することができる構造が採用されている。
【０００３】
これは、遊技中にパチンコ遊技機の内部で発生する不具合に対し、その場で迅速に対応するためなどである。
【０００４】
一方、前記外枠と前枠との間に発生する隙間からピアノ線などの屈曲自在かつ腰のある異物を挿入し、当該異物をパチンコ遊技機内部で屈曲させつつその先端を遊技盤の前面側または背面側にまで到達させて前記異物で可変入賞口を前方側または背面側から操作し、常に可変入賞口が開放する状態を維持させて不正な賞球の払出を受けるなど、いわゆるゴトと称される行為が行われている。
【０００５】
前記のような異物を挿入する不正行為からパチンコ遊技機を保護するために、特許文献１に開示されるパチンコ遊技機は、前記隙間を覆うような防護壁をパチンコ遊技機の内部に備え、さらに前記防護壁に前記隙間に対向して開口する断面コ字状の溝を前記防護壁に備えている。
【０００６】
このような構造により、前記隙間を通って挿入された異物の先端は、袋小路を形成する前記溝に捕らえられるため、異物をさらに挿入しようとしてもそれ以上パチンコ遊技機内部に前記異物が侵入することがなく不正行為を防止することができるとしている。
【特許文献１】特開平８−２７６０５７号公報
【発明の開示】
【発明が解決しようとする課題】
【０００７】
ところが、前記断面コ字状の溝で異物の侵入を阻止している場合、異物を溝の底面に強く突き当て、この行為を何回も繰り返すことで、防護壁が突破されることがある。
【０００８】
このような、強硬な防護壁の突破に対しては、防護壁を厚くしたり前記溝に嵌合する金属プレートを設けたりすることによって対応することも考えられるが、いずれの方法もパチンコ遊技機の重量を増加させ、コストも高くなるという問題を有している。また、パチンコ遊技機のスペースがあまりなく、防護壁の有効な厚みを確保できない場合もある。さらに、異物を強く突き当てる力や回数を増加させたり、異物の先端形状を鋭利なものにしたりすれば、防護壁が突破される危険性を完全に払拭しきれないという問題もある。
【０００９】
本発明は、上記問題に鑑みなされたものであり、前記防護壁の異物による突破を簡単な構成で有効に防止することができるパチンコ遊技機の提供を目的とする。
【課題を解決するための手段】
【００１０】
前記目的を達成するために、本発明に係るパチンコ遊技機は、台島に設置される外枠と、前記外枠に開閉可能に設けられ、遊技盤を保持する前枠とを備えるパチンコ遊技機であって、前記外枠と前記前枠との間に存する隙間を通り、異物がパチンコ遊技機内部に挿入されるのを防止する防護壁を、前記隙間を覆うようにパチンコ遊技機内部に備え、前記防護壁の前記隙間に対向する面の少なくとも一部を前記異物の挿入方向に対して傾斜する傾斜面とすることを特徴とする。
【００１１】
これにより、隙間に挿入された異物が防護壁の傾斜面に到達すると、異物の先端が傾斜面に案内されて挿入方向からそれるため、異物の先端を突き当てる力が分散されることとなる。従って、異物による防護壁の突破を防止することができる。
【００１２】
しかも、当該防護壁は、従来の防護壁の厚みよりも厚くしなくとも、簡単な構成により前記作用効果を奏することができる。
【発明を実施するための最良の形態】
【００１３】
以下、本発明に係る実施の形態を図面に沿って説明する。
図１は、本実施形態に係るパチンコ遊技機１００を正面方向から示す斜視図である。
【００１４】
同図に示されるように、パチンコ遊技機１００は、外枠１１１と、前枠１１２と、ガラス扉１１３とを備え、ガラス扉１１３の背部には遊技球１０５が転落する遊技盤１１４を備えている。なお、本発明に係る防護壁は、前枠１１２の背部に隠れているため、同図には示されていない。
【００１５】
外枠１１１は、パチンコ遊技機１００の各構成要素を保持するための基礎となる枠体であり、矩形状の枠体となっている。また、外枠１１１の下部前面を覆うように幕板１３１が外枠１１１と一体に備えられている。外枠１１１は、パチンコホールなど設置されている台島に直接固定される部材であり、台島と外枠１１１のみとを固着することによりパチンコ遊技機１００が台島に設置されることとなる。
【００１６】
幕板１３１は、遊技球１０５を貯留する下皿１１７の下方に遊技球１０５を運搬するための箱（いわゆるドル箱）を配置した状態で、前枠１１２を開放できるスペースを確保するために設けられる部分であり、当該幕板１３１には、スピーカーなど（図示せず）演出用の部材が取り付けられることがある。
【００１７】
前枠１１２は、遊技盤１１４や、各種制御基盤などが直接的に、また取り付け用部材を介して間接的に取り付けられる部材である。また、前枠１１２は、外枠１１１の前端面左側とヒンジ１０１を介して取り付けられており、外枠１１１に対して前枠１１２が回動可能となされる扉状となっている。すなわち、台島に設置されたパチンコ遊技機１００の前枠１１２を扉のように回動すると、パチンコ遊技機１００の背部を露出させるように開放することが可能となっている。
【００１８】
また、前枠１１２の前面下部には遊技者が操作できる遊技球１０５を貯留するための上皿１１６や下皿１１７が設けられ、下皿１１７の右方には、遊技者が回転させることにより遊技球１０５の射出の可否を選択し、また、遊技球１０５の射出速度を変更するためのハンドル１１８が設けられている。
【００１９】
ガラス扉１１３は、前枠１１２の前面にヒンジ１０２を介して装着される部材である。このガラス扉１１３は円形孔状の窓部１０３を有し、当該窓部１０３を背面から覆うようにガラス板が取り付けられている。
【００２０】
遊技盤１１４は、遊技球１０５が転落する遊技領域を形成するための木製や樹脂製の部材であり、遊技球１０５を複雑に転落させるための釘や、大当たりを判定するためのトリガーとなる始動口１１５や、大当たり遊技中に遊技球１０５を受け取るために開放される大入賞口１１９などの他、装飾図柄が表示される表示装置１２１が取り付けられる部材である。また、遊技盤１１４の中央部には遊技に関する図柄が表示される表示装置１２１が取り付けられている。
【００２１】
ここで、遊技盤１１４に取り付けられている始動口１１５は、左右に開閉可能な羽が設けられた可変タイプの始動口である。前記羽は、遊技盤１１４の背面に設けられた駆動源及び駆動機構により、その開閉が制御されている。そして、羽が開かれた状態では、羽が閉ざされた状態よりも高確率で遊技球１０５が始動口１１５に入賞することができるようになっている。
【００２２】
図２は、前枠１１２を開放した状態を示す斜視図である。
同図に示すように、前枠１１２は、前枠１１２の下端面と幕板１３１の上端面とが摺り合わされるように回動して外枠１１１に対して開放される。従って、これらの回動をスムーズに実行させるため、かつ、前枠１１２が備える遊技盤１１４や制御基盤等の重量による前枠１１２の歪みを考慮して、図３に示すように、パチンコ遊技機１００は、前枠１１２の下端面と幕板１３１の上端面の間に若干の隙間１３２が発生するものとなっている。
【００２３】
そして、幕板１３１と前枠１１２との間に存在する隙間１３２全体をパチンコ遊技機１００の内側から覆うように、パチンコ遊技機１００の幅方向に伸びる防護壁２００が幕板１３１の上端部に上方突出状に幕板１３１と一体に設けられている。
【００２４】
防護壁２００は、隙間１３２に対向して開口し、パチンコ遊技機１００の幅方向に伸びる凹部を備えている。また、防護壁２００は、リブ２１０を幅方向に２箇所備えており、当該リブ２１０によって隔てられた小部屋を備えた構造となっている。
【００２５】
図３は、前枠１１２を閉ざした状態の幕板１３１上端部近傍を拡大して示す断面図である。
【００２６】
これらの図に示すように、幕板１３１に一体に設けられている防護壁２００の隙間１３２に対向する面の幅方向全体にわたり（リブ２１０は除く）、防護壁２００は、上部手前側（図中左側）から下部奥側（図中右側）に向かって傾斜する傾斜面２０１を備えている。
【００２７】
図４は、ピアノ線により不正行為が行われつつある状態を示す断面図である。
同図（ａ）に示すように、不正行為を行おうとする者は、隙間１３２にピアノ線Ｐを挿入し、さらに、防護壁２００を突き破ろうとして防護壁２００にピアノ線Ｐを突き当てる。しかしながら、ピアノ線Ｐの先端は、傾斜面２０１に当接するため、同図（ｂ）に示すように、当該傾斜面２０１の傾斜に案内されてパチンコ遊技機１００の下方向に導かれる。
【００２８】
ここで、遊技盤１１４が備える可変始動口１１５の羽の開閉を行う機構等は、幕板１３１の上方であって、前枠１１２に取り付けられる遊技盤１１４の背面に備えられている。従って、傾斜面２０１を同図のように傾斜させれば、傾斜面２０１に突き当てられたピアノ線Ｐの先端に可変タイプの始動口１１５から遠ざかる方向の抗力Ｔが発生し（同図（ａ）参照）、傾斜面２０１に沿って下方にピアノ線Ｐの先端が案内される。
【００２９】
このような状況の下、不正行為者がピアノ線Ｐを強く挿入しても、ピアノ線Ｐの屈曲部分がクッションとなって力が分散し、ピアノ線Ｐの先端には、大きな力が到達しにくくなる。従って、不正行為者がピアノ線Ｐを突きつける行為を何回繰り返しても、不正行為者が心理的に許容できる時間内で、防護壁２００を突破することができなくなる。しかも、このような状況では、ピアノ線Ｐの先端は、防護壁２００ではなく、幕板１３１に対して作用することになるため、力が作用する方向に十分な厚みを有する幕板１３１が突き破られることは考えにくい。また仮に、幕板１３１が突き破られたとしても、ピアノ線Ｐは可変タイプの始動口１１５から遠ざかる方向に向いているため、ピアノ線Ｐを用いて始動口１１５に備えられた羽や当該羽を動かす機構を遊技盤１１４の前面や背面で操作し、前記羽を開放状態、すなわち始動口１１５に高確率で遊技球１０５が入賞する状態で維持させるような不正行為をもはや行うことはできなくなる。
【００３０】
次に、防護壁２００の他の実施形態を説明する。
図５は、傾斜面２０１の形状のバリエーションを示す断面図である。
【００３１】
同図（ａ）に示すように、傾斜面２０１は湾曲するものでもかまわない。また、同図（ｂ）に示すように、傾斜面２０１に突き当てられたピアノ線などの異物が、当該異物を挿入する方向と反対側に案内されるような形状を備えた傾斜面２０１でもかまわない。
【産業上の利用可能性】
【００３２】
本発明は、不正行為の対象となるパチンコ遊技機に適用できる。
【図面の簡単な説明】
【００３３】
【図１】パチンコ遊技機を正面方向から示す斜視図。
【図２】前枠を開いた状態のパチンコ遊技機を示す斜視図。
【図３】防護壁近傍を示す断面図。
【図４】不正行為に対抗する防護壁を拡大して示す断面図。
【図５】防護壁のバリエーションを示す断面図。
【符号の説明】
【００３４】
１００…パチンコ遊技機、１１１…外枠、１１２…前枠、１３１…幕板、１３２…隙間、２００…防護壁、２０１…傾斜面
【図１】
2007319276.tif 000003
【図２】
2007319276.tif 000004
【図３】
2007319276.tif 000005
【図４】
2007319276.tif 000006
【図５】
2007319276.tif 000007